(57)【要約】【課題】  極めて簡単な構成でしかもバネの復帰力をコネクタピンの抜去力として使用することなくコネクタピンの抜去を可能としたコネクタピン抜去用治具を提供する。【解決手段】  柱状空間部５及びこの柱状空間部５の先端に連結されたガイド穴６を有する柱状本体部１と、柱状空間部５に挿通された取っ手部１２と、この取っ手部１２の先端に連結されてガイド穴６に挿通されてコネクタピンを押圧するためのピン押し部１０と、柱状空間部５の先端と取っ手部１２の先端との間に設けらてピン押し部１０がコネクタピンを押圧するように取っ手部１２が押された時に圧縮されるバネ１３と、取っ手部１２が柱状空間部５を摺動する範囲を規制するための規制手段３，４，１４とを含む構成である。【選択図】      図１
2008192518.tif 000002
【特許請求の範囲】
【請求項１】
コネクタピンを抜去するコネクタピン抜去用治具であって、
柱状空間部及びこの柱状空間部の先端に連結されたガイド穴を有する柱状本体部と、
前記柱状空間部に挿通された取っ手部と、
この取っ手部の先端に連結されて前記ガイド穴に挿通されて前記コネクタピンを押圧するためのピン押し部と、
前記柱状空間部の先端と前記取っ手部の先端との間に設けらて前記ピン押し部が前記コネクタピンを押圧するように前記取っ手部が押された時に圧縮されるバネと、
前記取っ手部が前記柱状空間部を摺動する範囲を規制するための規制手段とを含むことを特徴とする治具。
【請求項２】
前記規制手段は、前記取っ手部の外周面に設けられて前記摺動する範囲に相当する長さの凹部と、前記柱状本体部に設けられたネジ穴と、このネジ穴に螺合されて前記凹部に先端が係合するネジとからなることを特徴とする請求項１記載の治具。
【請求項３】
前記規制手段は、前記取っ手部と前記柱状空間部とにそれぞれ設けられた段部からなることを特徴とする請求項１記載の治具。
【発明の詳細な説明】
【技術分野】
【０００１】
本発明はコネクタピン抜去用治具に関し、特にプリント基板の配線穴に圧入されたコネクタピンを抜去する際に用いるコネクタピン抜去用治具に関するものである。
【背景技術】
【０００２】
図１２に示すように、近年、プリント基板３０の配線穴にコネクタピン３１が直接圧入された構造のコネクタが用いられている。このような基板３０に圧入されたコネクタピン３１を取り外す場合や差し替える場合、基板３０を固定しておき、コネクタピン３１を、工具４０を用いて圧入面側から挟み込んで、基板３０の面に対して垂直に人手により引き抜く必要がある。そのために、隣接ピンを曲げてしまったり、スルーホールを傷つけてしまうという問題がある。また、基板３０に対して力が加わるので、基板にストレスがかかるという問題もある。
【０００３】
そこで、特許文献１〜３などに開示されているコネクタピン抜去用の治具を用いることにより、上記問題を解消することが考えられる。
【特許文献１】実開昭５７−１４３５９５号公報
【特許文献２】特開２０００−７７１５８号公報
【特許文献３】実開平５−７５９９１号公報
【発明の開示】
【発明が解決しようとする課題】
【０００４】
特許文献１や２のコネクタピン抜去用治具では、本体ボディ内の柱状空間部をスライド自在なピストン部材を設け、このピストン部材を、バネによって付勢されたホルダによりスライドさせて、このピストン部材の先端部に設けられているエジェクタピンにより、コネクタピンを基板のスルーホールから抜去するものである。このような特許文献１や２のコネクタピン抜去用治具は、ピストン部材を用いているために、部品点数がそれだけ増大して構造が複雑化するという欠点がある。
【０００５】
特許文献３のコネクタピン抜去用治具では、ピストン部材を用いない簡単な構造となってはいるが、予めバネ力に抗してバネを圧縮しておいて、コネクタピンに当接する棒状部材を保持しておき、この棒状部材の先端をコネクタピンに当接させた状態で、バネの復帰力で、コネクタピンを基板から抜去するようになっている。この様にバネの復帰力を用いてコネクタピンの抜去を行う構造のために、抜去力を充分得るには、バネの復帰力を強めることが必要である。そうすると、使用前にバネ力に抗してバネを圧縮するための力がかなり強いことが要求されることになって、抜去作業に力を要すると共に、バネ復帰は瞬間的なものであって衝撃が作業者に対して反作用として加わるという問題もある。この点は、特許文献１の治具においても同じである。
【０００６】
本発明の目的は、極めて簡単な構成でしかもバネの復帰力を用いることなく、コネクタピンの抜去が可能なコネクタピン抜去用治具を提供することである。
【課題を解決するための手段】
【０００７】
本発明によるコネクタピン抜去用治具は、コネクタピンを抜去するコネクタピン抜去用治具であって、柱状空間部及びこの柱状空間部の先端に連結されたガイド穴を有する柱状本体部と、前記柱状空間部に挿通された取っ手部と、この取っ手部の先端に連結されて前記ガイド穴に挿通されて前記コネクタピンを押圧するためのピン押し部と、前記柱状空間部の先端と前記取っ手部の先端との間に設けらて前記ピン押し部が前記コネクタピンを押圧するように前記取っ手部が押された時に圧縮されるバネと、前記取っ手部が前記柱状空間部を摺動する範囲を規制するための規制手段とを含むことを特徴とする。
【０００８】
そして、前記規制手段は、前記取っ手部の外周面に設けられて前記摺動する範囲に相当する長さの凹部と、前記柱状本体部に設けられたネジ穴と、このネジ穴に螺合されて前記凹部に先端が係合するネジとからなることを特徴とする。
【０００９】
また、前記規制手段は、前記取っ手部と前記柱状空間部とにそれぞれ設けられた段部からなることを特徴とする。
【発明の効果】
【００１０】
本発明によれば、ピストンなどの部材を用いることなく、またバネの復帰力をピンの抜去力として用いることがないので、簡単な構造で、かつ作業者や基板に対してストレスを与えることがないという効果がある。
【発明を実施するための最良の形態】
【００１１】
以下に図面を用いて本発明の実施の形態について説明する。図１は本発明の実施の形態の分解図であり、図２はその組立後の断面図である。本例は、基本的に、本体部１と取っ手部１２とからなっている。なお、図１においては、本体部１については断面図を示しており、取っ手部１２については側面図を示している。
【００１２】
本体部１は柱状空間部５を有する円柱状であり、本体部１の先端部２は本体部１の径より細く、かつピン押し部ガイド穴６が設けられている。このガイド穴６の先端は開放となっており、他端は本体部１の柱状空間部５と連結している。柱状空間部５の他端は開放となっている。取っ手部１２は本体部１の柱状空間部５に挿通される円柱状部材であり、その先端はピン押し部１０が設けられており、このピン押し部１０は本体部１のピン押し部ガイド穴６に挿通されることになる。ピン押し部１０と取っ手部１２とは、バネ１３の動きを規制するバネ押さえ部１１により連結されている。
【００１３】
本体部１には、ネジ穴部３が設けられており、取っ手部１２を本体部１の柱状空間部５へ挿通した後に、ネジ４をこのネジ穴部３に螺合させることにより、取っ手部１２が本体部１から抜け落ちることを防止するようになっている。更に、取っ手部１２には、摺動範囲規制溝１４が、本体部１のネジ穴部３と対応する部分に設けられており、取っ手部１２が、図２の断面図に示す如く、本体部１の柱状空間部５に挿通されたときに、ネジ４がこの溝１４に係合するようになっている。
【００１４】
かかる構成において、バネ１３を通したピン押し部１０を、本体部１の柱状空間部５及びピン押し部ガイド穴６にこの順に挿通し、ネジ４をネジ穴部３に螺合させて、取っ手部１２の摺動範囲規制溝１４に突き当てるようにして、組み立てる。図２はこの組み立てた後の断面図であり、図３はその側面図を示す。
【００１５】
そして、図２，３に示す如く、先端部２のピン押し部ガイド穴６を、プリント基板３０のコネクタピン３１に合わせる。この状態で、作業者が取っ手部１２を矢印の方向（基板３０の方向）に押圧することにより、図４に示す如く、コネクタピン３１の抜去が可能となる。このとき、バネ１３は取っ手部１２のバネ押さえ部１１と本体部１との間において、圧縮されているので、作業者がピン抜き終了後に力を抜くと、バネの復帰力により取っ手部１２は図２の元の位置に復帰することになる。摺動範囲規制溝１４の長さによって、取っ手部１２の本体部１内での摺動範囲が定まることは明らかである。
【００１６】
図５は本発明の他の実施の形態の分解図であり、図６はその組み立て手順を示す図であり、図７は組み立て後の断面図である。図５〜図７において、図１と同等部分は同一符号により示している。本例においては、本体部を２つに分離して２つの本体部１ａ，１ｂで構成したものであり、両者はネジ部７ａ，７ｂにより互いに結合されて一体化されるようになっている。従って、２つの本体部１ａ，１ｂの各柱状空間部５ａ，５ｂも一体化されて、図１の柱状空間部５が形成されることになる。
【００１７】
図６に示す矢印に従って、各部を組み立てることにより、図７に示す如き、本発明のコネクタピン抜去用治具が構成されることになる。なお、図８は基板３０のコネクタピン３１を、本治具を用いて抜去する際の断面図を示しており、図４と同一となっている。また、図９は、コネクタピンを抜去した後にバネ１３の復元力によって取っ手部１２が元の位置に戻った状態を、断面図にて示している。
【００１８】
図１０は本発明の更に他の実施の形態を示す分解図であり、図５と同等部分は同一符号により示している。本例では、取っ手部１２の摺動範囲規制のために、取っ手部１２に段部１５を設け、かつ本体部１ｂの柱状空間部５ｂに段部８を設けたものである。すなわち、取っ手部１２の作業者により押される後端部分の径を一段小さくし、それに合わせて柱状空間部５ｂの後端部分の径を小さくしている。その代りに、図５のネジ４と摺動範囲規制溝１４を省いている。本例では、図１０に示した矢印の手順で組み立てることにより、先の各実施の形態と同様な治具が完成することになる。
【００１９】
図１１は本発明の別の実施の形態を示す分解図であり、図５と同等部分は同一符号により示している。本例では、取っ手部１２の先端部分におけるピン押し部１０とバネ押さえ部１１とが、取っ手部本体とは分離して形成されて、組み立て時に、これらを固定するような構造となっている。
【００２０】
なお、上記の各実施の形態においては、ピン押し部１０を単一としているが、これをコネクタピン３１の複数に合わせて複数とし、本体部１の先端部２におけるピン押し部ガイド穴６を、それに対応して複数設けるような構造とすることにより、複数のコネクタピンを、同時に基板から抜去することができ、作業の効率化が図れる。
【図面の簡単な説明】
【００２１】
【図１】本発明の一実施の形態を示す分解図である。
【図２】本発明の一実施の形態の組み立て後の断面図である。
【図３】本発明の一実施の形態を用いてコネクタピンを抜去する場合の動作を説明する図である。
【図４】本発明の一実施の形態を用いたコネクタピン抜去時の断面図である。
【図５】本発明の他の実施の形態を示す分解図である。
【図６】本発明の他の実施の形態の組み立て手順を示す図である。
【図７】本発明の他の実施の形態の組み立て後の断面図である。
【図８】本発明の他の実施の形態を用いたコネクタピン抜去時の断面図である。
【図９】本発明の他の実施の形態を用いたコネクタピン抜去後の断面図である。
【図１０】本発明の更に他の実施の形態を示す分解図である。
【図１１】本発明の別の実施の形態を示す分解図である。
【図１２】コネクタピンを基板から抜去する場合の従来例を説明する図である。
【符号の説明】
【００２２】
１，１ａ，１ｂ  本体部
２  先端部
３  ネジ穴部
４  ネジ
５，５ａ，５ｂ  柱状空間部
６  ピン押し部ガイド穴
７ａ，７ｂ  ネジ部
８，１５  段部
１０  ピン押し部
１１  バネ押さえ部
１２  取っ手部
１３  バネ
１４  摺動範囲規制溝
３０  プリント基板
３１  コネクタピン
【図１】
2008192518.tif 000003
【図２】
2008192518.tif 000004
【図３】
2008192518.tif 000005
【図４】
2008192518.tif 000006
【図５】
2008192518.tif 000007
【図６】
2008192518.tif 000008
【図７】
2008192518.tif 000009
【図８】
2008192518.tif 000010
【図９】
2008192518.tif 000011
【図１０】
2008192518.tif 000012
【図１１】
2008192518.tif 000013
【図１２】
2008192518.tif 000014